(57)【特許請求の範囲】
【請求項１】
束石または土台の上に固定される座板と、前記座板から上方に向けて張り出す第一垂直片と、前記第一垂直片から水平方向に張り出す軸受け片と、を有する固定部材、
前記第一垂直片に重ねて連結される第二垂直片と、前記第二垂直片の上端から水平方向に張り出し、床板材を支持する横架材が載置される載置片と、を有する支持部材、
および、
前記載置片に形成されたねじ孔と、前記ねじ孔に螺合するねじ部を有する軸部材と、前記軸受け片に形成されて前記軸部材の下端を受け止める軸受け部と、からなる調整機構、を備え、
前記調整機構において、前記ねじ孔に前記ねじ部を螺合させた前記軸部材の下端が、前記軸受け部に当接した状態で、前記軸部材を回転させることで、前記支持部材が前記固定部材に対して上下動可能であると共に、
前記第一垂直片と前記第二垂直片とが連結される連結部において、前記固定部材と前記支持部材とが、任意の高さで固定が可能に連結された、
ことを特徴とする床束。
【請求項２】
前記第一垂直片は、水平方向における互いの一端同士が角度をつけて連接された二枚の垂直片であり、
前記第二垂直片は、前記第一垂直片に沿って角度をつけて連接された二枚の垂直片である、
ことを特徴とする請求項１に記載された床束。
【請求項３】
前記連結部が、前記第一垂直片または前記第二垂直片の一方に設けられた縦長孔である第一固着具孔と、
前記第一垂直片または前記第二垂直片の他方において、前記縦長孔に対向する位置に設けられた円孔である第二固着具孔と、
前記第一固着具孔および前記第二固着具孔に通される固着具と、から形成された、
ことを特徴とする請求項１または請求項２に記載された床束。
【請求項４】
前記軸受け部が、すり鉢状である、
ことを特徴とする請求項１から請求項３のいずれか１項に記載された床束。
【請求項５】
前記載置片は、少なくとも一端が上方に向けて折れ曲がり、前記横架材を固定するための垂直固定片を有する、
ことを特徴とする請求項１から請求項４のいずれか１項に記載された床束。
【請求項６】
請求項１から請求項５のいずれか１項に記載された床束を用いたウッドデッキの施工方法であって、
前記座板を前記束石または前記土台の上に固定することで、少なくとも二以上の前記床束を設置し、前記連結部において前記固定部材と前記支持部材とが仮止めされた状態で、前記載置片の上に前記横架材を載置し、前記調整機構で前記支持部材の高さの調整をすることで、前記床束間に横架された前記横架材の水平を確保した後に、前記固定部材と前記支持部材とを固定する、
ことを特徴とするウッドデッキの施工方法。
【請求項７】
前記載置片に前記横架材が二本載置され、前記床束間に前記横架材が二本横架された、
ことを特徴とする請求項６に記載されたウッドデッキの施工方法。
【発明の詳細な説明】
【技術分野】
【０００１】
本発明は、床束およびこの床束を用いたウッドデッキの施工方法に関するものである。
【背景技術】
【０００２】
従来から、ウッドデッキが施工される際には、床下の構造を構築する方法として、「大引き工法」が知られている。
【０００３】
「大引き工法」とは、地面に設置された束石の上に、木製の床束が固定され、この床束の上に、角材である大引きが横架して固定され、その上から床板材等が載置されて固定されることで、ウッドデッキが構築される工法である。「大引き工法」は、鉛直方向の荷重が、床板材から大引きに、そして大引きから床束に直接伝わるため、荷重に対して十分な強度を確保することができる。一方で、束石の上に固定された床束の上面において、床面の水平の確保をしなければならず、施工に一定の技術が必要とされると共に、手間がかかるものであった。また、一定の技術が必要とされることから、一般人がＤＩＹ（Ｄｏ  Ｉｔ  Ｙｏｕｒｓｅｌｆ）としてウッドデッキを施工するには、不適なものであった。
【０００４】
そこで、「大引き工法」において床面の水平の確保を容易なものとするため、高さの調整が可能な束構造（特許文献１）および床束（特許文献２）等が提案されている。これらの束構造および床束は、床束の高さを一定の範囲で調整することができるため、個々の床束ごとに高さを調整することで、床束間における横架材の水平を容易に確保することができる。
【０００５】
しかし、これらの束構造および床束等は、その多くの高さ調整機構が、一本のねじ部材と、このねじ部材に螺合して上下に連結される座板や保持板等と、で構成されており、容易に高さの調整ができる反面で、設置後や高さの調整をする際に、ガタつきが生じて安定性に欠けるものであった。また、床板材からかかる鉛直方向の荷重を、これらの高さ調整機構における一本のねじ部材のみで支えなければならず、上記したガタつきによる不安定さが目立つものであった。
【先行技術文献】
【特許文献】
【０００６】
【特許文献１】特開２００６−１２５１０９号公報
【特許文献２】特許第６１１７１３２号公報
【発明の概要】
【発明が解決しようとする課題】
【０００７】
そこで、本発明は、上記した従来技術の課題を解決すべくなされたものであって、ウッドデッキの床下構造を容易に構築することができると共に、安定性の高い床束およびこの床束を用いたウッドデッキの施工方法を提供するものである。
【課題を解決するための手段】
【０００８】
本発明に係る床束は、束石または土台の上に固定される座板と、前記座板から上方に向けて張り出す第一垂直片と、前記第一垂直片から水平方向に張り出す軸受け片と、を有する固定部材、前記第一垂直片に重ねて連結される第二垂直片と、前記第二垂直片の上端から水平方向に張り出し、床板材を支持する横架材が載置される載置片と、を有する支持部材、および、前記載置片に形成されたねじ孔と、前記ねじ孔に螺合するねじ部を有する軸部材と、前記軸受け片に形成されて前記軸部材の下端を受け止める軸受け部と、からなる調整機構、を備え、前記調整機構において、前記ねじ孔に前記ねじ部を螺合させた前記軸部材の下端が、前記軸受け部に当接した状態で、前記軸部材を回転させることで、前記支持部材が前記固定部材に対して上下動可能であると共に、前記第一垂直片と前記第二垂直片とが連結される連結部において、前記固定部材と前記支持部材とが、任意の高さで固定が可能に連結されたことを特徴とする。
【０００９】
本発明に係る床束は、前記第一垂直片は、水平方向における互いの一端同士が角度をつけて連接された二枚の垂直片であり、前記第二垂直片は、前記第一垂直片に沿って角度をつけて連接された二枚の垂直片である、ことを特徴とする。
【００１０】
本発明に係る床束は、前記連結部が、前記第一垂直片または前記第二垂直片の一方に設けられた縦長孔である第一固着具孔と、前記第一垂直片または前記第二垂直片の他方において、前記縦長孔に対向する位置に設けられた円孔である第二固着具孔と、前記第一固着具孔および前記第二固着具孔に通される固着具と、から形成されたことを特徴とする。
【００１１】
本発明に係る床束は、前記軸受け部が、すり鉢状である、ことを特徴とする。
【００１２】
本発明に係る床束は、前記載置片は、少なくとも一端が上方に向けて折れ曲がり、前記横架材を固定するための垂直固定片を有する、ことを特徴とする。
【００１３】
本発明に係るウッドデッキの施工方法は、上記した床束を用いたウッドデッキの施工方法であって、前記座板を前記束石または前記土台の上に固定することで、少なくとも二以上の前記床束を設置し、前記連結部において前記固定部材と前記支持部材とが仮止めされた状態で、前記載置片の上に前記横架材を載置し、前記調整機構で前記支持部材の高さの調整をすることで、前記床束間に横架された前記横架材の水平を確保した後に、前記固定部材と前記支持部材とを固定する、ことを特徴とする。
【００１４】
本発明に係るウッドデッキの施工方法は、上記した施工方法に加えて、前記載置片に前記横架材が二本載置され、前記床束間に前記横架材が二本横架された、ことを特徴とする。
【発明の効果】
【００１５】
本発明に係る床束は、束石または土台の上に固定される座板と、座板から上方に向けて張り出す第一垂直片と、第一垂直片から水平方向に張り出す軸受け片と、を有する固定部材、第一垂直片に重ねて連結される第二垂直片と、第二垂直片の上端から水平方向に張り出し、床板材を支持する横架材が載置される載置片と、を有する支持部材、および、載置片に形成されたねじ孔と、ねじ孔に螺合するねじ部を有する軸部材と、軸受け片に形成されて軸部材の下端を受け止める軸受け部と、からなる調整機構、を備え、調整機構において、ねじ孔にねじ部を螺合させた軸部材の下端が、軸受け部に当接した状態で、軸部材を回転させることで、支持部材が固定部材に対して上下動可能であると共に、第一垂直片と第二垂直片とが連結される連結部において、固定部材と支持部材とが、任意の高さで固定が可能に連結されている。すなわち、本発明に係る床束では、調整機構とは別に、固定部材と支持部材とが、第一垂直片と第二垂直片とを介して連結部で連結されているため、ガタつきを最小限に抑えつつ、安定して調整機構による高さの調整および床束の固定をすることができる。
【００１６】
また、本発明に係る床束では、調整機構を有すると共に、固定部材と支持部材とが、連結部において任意の高さで固定が可能に連結されているため、固定部材と支持部材とが仮止めされた状態において、支持部材の高さの調整をし、床板材を支持する横架材の水平を確保してから、固定部材と支持部材とを固定することができる。すなわち、本発明に係る床束では、床面の水平を容易に確保することができ、ウッドデッキの床下構造を容易に構築することができる。
【００１７】
本発明に係る床束は、第一垂直片は、水平方向における互いの一端同士が角度をつけて連接された二枚の垂直片であり、第二垂直片は、第一垂直片に沿って角度をつけて連接された二枚の垂直片である。したがって、本発明に係る床束は、横架材から鉛直方向にかかる荷重、すなわち、第一垂直片および第二垂直片を縦に折り曲げようとする力に対して十分な強度を備えることができる。特に、第一垂直片の上端から張り出す軸受け片には、軸部材から鉛直方向の荷重がかかることから、第一垂直片が上記した構成で形成されることで、その荷重に十分に耐えうる強度を備えた床束とすることができる。
【００１８】
本発明に係る床束は、連結部が、第一垂直片または第二垂直片の一方に設けられた縦長孔である第一固着具孔と、第一垂直片または第二垂直片の他方において、縦長孔に対向する位置に設けられた円孔である第二固着具孔と、第一固着具孔および第二固着具孔に通される固着具と、から形成されている。すなわち、本発明に係る床束では、連結部において、第一垂直片と第二垂直片とが固着具で仮止めされた状態で、調整機構で高さの調整を行い、横架材の水平の確保をした後に、第一垂直片と第二垂直片とを本止めすることで、固定部材と支持部材とを固定することができる。したがって、床板材を支持する横架材の水平、すなわち、床面の水平を容易に確保することができる。
【００１９】
本発明に係る床束は、軸受け部が、すり鉢状である。すなわち、本発明に係る床束では、軸部材を回転させる際に、軸部材の下端が、軸受け部からずれることがなく、軸部材を安定して回転させることができる。
【００２０】
本発明に係る床束では、載置片は、少なくとも一端が上方に向けて折れ曲がり、横架材を固定するための垂直固定片を有する。すなわち、本発明に係る床束であれば、横架材が載置片からずり落ちることがなく、横架材を安定して載置片に載置することができる。また、横架材を、載置片だけではなく、垂直固定片にも固定することができるため、上下方向からだけでなく、水平方向からも横架材を固定することができる。
【００２１】
本発明に係るウッドデッキの施工方法は、上記したいずれかの床束を用いたウッドデッキの施工方法であって、座板を束石または土台の上に固定することで、少なくとも二以上の床束を設置し、連結部において固定部材と支持部材とが仮止めされた状態で、載置片の上に横架材を載置し、調整機構で支持部材の高さの調整をすることで、床束間に横架された横架材の水平を確保した後に、固定部材と支持部材とを固定する。したがって、本発明に係るウッドデッキの施工方法であれば、床板材を支持する横架材の水平、すなわち、床面の水平を容易に確保することができるため、ウッドデッキを容易に構築することができる。
【００２２】
本発明に係るウッドデッキの施工方法では、上記した施工方法において、載置片に横架材が二本載置され、床束間に横架材が二本横架している。すなわち、床板材を二本の横架材で支持することができるため、鉛直方向の荷重に強度を備えたウッドデッキの床下構造とすることができる。
【図面の簡単な説明】
【００２３】
【図１】本発明の実施形態に係る床束の正面図である。
【図２】本発明の実施形態に係る床束の背面図である。
【図３】本発明の実施形態に係る床束の平面図である。
【図４】本発明の実施形態に係る床束の底面図である。
【図５】本発明の実施形態に係る床束の右側面図である。
【図６】本発明の実施形態に係る床束の左側面図である。
【図７】図１のＡ−Ａ線における断面図である。
【図８】本発明の実施形態に係る床束の斜視図である。
【図９】本発明の実施形態に係る床束の使用状態を示す斜視図である。
【図１０】本発明の実施形態に係る床束に横架材を一本だけ横架させた状態を示す斜視図である。
【図１１】本発明の実施形態に係る床束の使用状態を示す正面上方からの斜視図である。
【発明を実施するための形態】
【００２４】
以下に、本実施形態に係る床束およびこの床束を用いたウッドデッキの施工方法を、図面に基づいて説明する。なお、図９に示すように、本実施形態に係る床束１に対する鉛直方向を上下方向、床束１の上に載置される横架材２の長手方向を前後方向、この前後方向に水平に直角をなして交わる方向を左右方向として、説明する。
【００２５】
本実施形態に係る床束１は、図９に示すように、建築物の床下、特に、ウッドデッキの床下において用いられる床束である。床束１は、床板材（図示せず）を支持する横架材２を下方から支えるために、束石（図示せず）または土台（図示せず）の上に設置される。床束１は、図１、図２、図５および図６に示すように、主に、固定部材３と、支持部材４と、調整機構１４と、から構成され、これらの部材が互いに連接されて一体として形成されている。なお、これらの部材および以下で説明する各部材を、互いに連接して一体として形成する方法としては、別々の部材として成形した後に溶接等で接合してもよく、また、プレス加工若しくは鋳造等によって一体として形成してもよい。
【００２６】
固定部材３は、図１、図２、図５、図６および図７に示すように、束石または土台の上に固定される金属製のプレートである座板５と、座板５の後端部から上方に向けて張り出す金属製のプレートである第一垂直片６と、第一垂直片６の上端から水平方向に張り出す金属製のプレートである軸受け片７と、から構成される。座板５の上面と第一垂直片６の下端と、および、第一垂直片６の上端と軸受け片７の下面とは、連接されて一体として形成されている。
【００２７】
座板５は、図４および図８に示すように、略五角形に成形された金属製のプレートである。座板５は、略五角形の五つの頂点のうち、一の頂点にあたる部位を後端とし、この頂点に対向する辺にあたる部位を前端としている。座板５は、前後方向の長さが、左右方向の幅と比較して、長く形成されている。また、座板５は、前端部において、座板５を束石または土台の上に固定するための孔として、アンカーボルト２１が通されるボルト孔５Ａと、コンクリートビス（図示せず）または釘（図示せず）等が通される二つのビス孔１３とが、設けられている。さらに、座板５は、後端における一の頂点にあたる部位が略半円状に切り欠かれており、また、中央には、円形に切り欠かれた肉抜き２０が形成されている。
【００２８】
また、座板５は、図３に示すように、後述する軸受け片７と比較して、前後方向の長さが、長く形成されている。具体的には、座板５は、座板５の上方に重なるようにして設けられる軸受け片７と比較して、前端部が前方に向かって長く張り出している。また、後述する載置片１０は、図３、図８および図１０に示すように、前端において、略半円状の大きな切り欠きである座板用切り欠き２４が形成され、さらに、この座板用切り欠き２４が座板５の前端部に重なるようにして、設けられている。すなわち、座板５の前端部は、上記した構成により、上方に重なるものがなく、上方が開放されたものとなる。したがって、座板５の前端部におけるボルト孔５Ａおよびビス孔１３は、図３に示すように、固定部材３と支持部材４とが互いに連結された状態においても、平面視において、載置片１０の座板用切り欠き２４を通して、確認することができる。また、床束１では、上記した構成により、載置片１０の座板用切り欠き２４に工具を通すことで、上方からでもアンカーボルト用ナット２２（図９および図１０）を締結しやすく、また、コンクリートビスが打ち込みやすいように構成されている。
【００２９】
第一垂直片６は、図１、図２、図５、図６、図８および図１１に示すように、縦長で略長方形の二枚の金属製の垂直片プレートである第一垂直左片６Ａと第一垂直右片６Ｂとが連接されることで、形成される。具体的には、第一垂直片６は、第一垂直左片６Ａと第一垂直右片６Ｂとが、水平方向における端部同士において、互いに角度をつけて連接されることで、形成される。第一垂直左片６Ａと第一垂直右片６Ｂとが連接される角度は、座板５の後端にあたる頂点から伸びる二辺に沿って角度をつけて連接されており、座板５の後端部上面から、上記した二辺に沿って第一垂直左片６Ａと第一垂直右片６Ｂとが垂直に立設されることで、第一垂直片６が形成される。なお、座板５と第一垂直片６とは、連接されて一体として形成されている。
【００３０】
第一垂直左片６Ａおよび第一垂直右片６Ｂには、それぞれの上部において、固着具８が通される円形の孔である第二固着具孔（図示せず）が形成されている。この第二固着具孔は、後述する第二垂直片９が第一垂直片６の外側に重ねられた状態で、第二垂直片９における第一固着具孔１２に対向する位置に設けられる。なお、第一垂直片６と第二垂直片９とは、この第二固着具孔と第一固着具孔１２とに、固着具８が通されることで、連結される。また、この第一垂直片６と第二垂直片９とが連結される部位が連結部１１であり、床束１では、この連結部１１によって、固定部材３と支持部材４とが連結されている。さらに、第一垂直片６の高さ、すなわち、第一垂直左片６Ａおよび第一垂直右片６Ｂの上下方向の長さは任意であり、後述する第二垂直片９の高さと併せて、床束１が用いられる建築物に合わせて調整されることが好ましい。
【００３１】
軸受け片７は、図１、図２、図５、図６、図８および図１１に示すように、座板５と同様に、略五角形に成形された金属製のプレートであり、略五角形の五つの頂点のうち、一の頂点にあたる部位を後端とし、この頂点に対向する辺にあたる部位を前端としている。軸受け片７は、前後方向の長さが、座板５と比較して短く形成されると共に、後端である頂点から伸びる二辺が、第一垂直左片６Ａおよび第一垂直右片６Ｂのそれぞれの上辺の長さと同じ長さに形成されている。軸受け片７は、第一垂直片６の上端から水平方向に張り出し、座板５のおよそ後側半分の上方に重なるようにして設けられる。すなわち、軸受け片７は、座板５の後側半分と、第一垂直左片６Ａおよび第一垂直右片６Ｂとによって形成される空間に、上方から蓋をするようにして設けられる。
【００３２】
また、軸受け片７には、図７および図１１に示すように、上面中央において、後述する軸部材１７の下端を受け止める軸受け部１８が形成されている。床束１では、この軸受け部１８に、軸部材１７の下端が収まることで、軸部材１７を安定して回転させることができる。
【００３３】
さらに、軸受け片７における前端における三辺、すなわち、第一垂直左片６Ａの上端または第一垂直右片６Ｂの上端と接していない残りの三辺にあたる端部は、図１、図５、図６、図７、図８、図９、図１０および図１１に示すように、下方に向かって垂直に折れ曲がることで、前端片７Ａを形成している。この前端片７Ａは、左右の端部が第一垂直左片６Ａの上部前端および第一垂直右片６Ｂの上部前端に連接されて一体として形成されており、軸受け片７を下方から支える補強材として機能することで、床束１を鉛直方向の荷重に対してより強度を備えた床束としている。なお、軸受け片７と、前端片７Ａと、第一垂直片６とは、互いに連接されて一体として形成されている。
【００３４】
次に、支持部材４は、図１、図２、図３、図５、図６、図８および図１１に示すように、第一垂直片６の外側に沿って重ねて連結される金属製のプレートである第二垂直片９と、第二垂直片９の上端から水平方向に張り出し、床板材を支持する横架材２が載置される金属製のプレートである載置片１０と、載置片１０の左右方向の両端が上方に向けて折れ曲がり、横架材２が固定される垂直固定片１９と、から構成される。なお、支持部材４では、第二垂直片９の上端と載置片１０の下面とが、また、載置片１０の左右方向の両端と左右それぞれの垂直固定片１９の下端とが、固定部材３と同様に、それぞれ連接されて一体として形成されている。
【００３５】
第二垂直片９は、図１、図２、図５、図６、図８および図１１に示すように、第一垂直片６における第一垂直左片６Ａおよび第一垂直右片６Ｂのそれぞれとほぼ同等の大きさに成形された、縦長で略長方形の二枚の金属製の垂直片プレートである第二垂直左片９Ａと第二垂直右片９Ｂとが連接されることで、形成される。具体的には、第二垂直片９は、第二垂直左片９Ａと第二垂直右片９Ｂとが、水平方向における端部同士において、第一垂直左片６Ａと第一垂直右片６Ｂとが連接された角に沿って、この角と同じ角度で連接されることで、形成される。すなわち、第二垂直片９は、連接された第二垂直左片９Ａと第二垂直右片９Ｂとが、第一垂直左片６Ａおよび第一垂直右片６Ｂの外側に沿って、重ねることができる。この構成により、床束１では、第二垂直片９が、第一垂直片６の外側に重ねられた状態で、連結部１１を介して、第一垂直片６に連結される。なお、第二垂直片９の高さ、すなわち、第二垂直左片９Ａと第二垂直右片９Ｂの上下方向の長さは、上記した第一垂直左片６Ａおよび第一垂直右片６Ｂと同様に任意であり、床束１が用いられる建築物に合わせて調整されることが好ましい。
【００３６】
また、第二垂直左片９Ａおよび第二垂直右片９Ｂには、それぞれの前側で、かつ、上部から下部にわたって、縦長の楕円孔である第一固着具孔１２が、形成されている。この第一固着具孔１２は、上記した通り、第二垂直片９を第一垂直片６の外側に重ねた状態において、第二固着具孔に対向する位置に設けられている。また、上述した通り、第一垂直片６と第二垂直片９とは、この第一固着具孔１２と第二固着具孔とに、固着具８が通されることで、連結される。なお、第一垂直片６と第二垂直片９とを連結する連結部１１については、追って詳説する。
【００３７】
さらに、第二垂直左片９Ａおよび第二垂直右片９Ｂのそれぞれは、中央付近に円形の肉抜き２０が設けられており、また、第二垂直左片９Ａと第二垂直右片９Ｂとが連接された部位の上端は、略半円状に切り欠かれている。
【００３８】
載置片１０は、図３、図４、図５、図６、図８、図１０および図１１に示すように、略平行四辺形に成形された金属製のプレートである。具体的には、載置片１０は、略平行四辺形の上辺にあたる部位を左端とし、略平行四辺形の底辺にあたる部位を右端とした場合に、左端が右端に対して後方に、右端が左端に対して前方にずれた略平行四辺形として、形成されている。また、載置片１０の前後における先端、すなわち、略平行四辺形における対向する一対の角にあたる部位は、それぞれ左右方向に沿って切り欠かれることで、左右方向に沿った平行な先端として形成されている。なお、載置片１０の上には、図９に示すように、左右の両端において、前後後方に沿って横架する二本の横架材２が載置される。その際、載置片１０が、上記した略平行四辺形として形成されたことで、略平行四辺形の上辺にあたる部位と底辺にあたる部位とに、略平行四辺形の対角線の交点を中心として、均等に鉛直方向の荷重がかかることで、載置片１０が安定すると共に、支持部材４が安定して横架材２を支持することができる。
【００３９】
また、載置片１０において、左後側および右前側のそれぞれには、載置片１０に載置される横架材２を、載置片１０の下からビス２３（図９および図１０）または釘等で固定するためのビス孔１３が、前後方向に一列で二箇所ずつ形成されている。さらに、載置片１０の前端において、右端から左端にかけてわたる一辺にあたる部位には、図３、図８および図１０に示すように、左右方向の中央において、略半円状に大きく切り欠きがされることで、座板用切り欠き２４が形成されている。なお、載置片１０は、この座板用切り欠き２４が、座板５の前端部の上方に重なるようにして、設けられる。また、載置片１０の左右両端部中央付近においては、図３に示すように、略円状に小さく切り欠きがされることで、肉抜き２０が形成されている。
【００４０】
さらに、載置片１０では、図１、図３、図５、図６、図７、図８、図１０および図１１に示すように、その中央において、円形に下方に窪んだすり鉢状の載置片凹部１０Ａが形成されている。この載置片凹部１０Ａには、後述するねじ孔１５が形成される。
【００４１】
また、載置片１０は、図１、図２、図５、図６、図８および図１０に示すように、略平行四辺形の上辺および底辺にあたる部位、すなわち、載置片１０の左右両端が、上方に向けて直角に折れ曲がることで、横架材２を固定するための垂直固定片１９を有している。また、垂直固定片１９は、載置片１０の左端から上方に向けて張り出す略台形の金属製のプレートである垂直固定左片１９Ａと、載置片１０の右端から上方に向けて張り出す略台形の金属製のプレートである垂直固定右片１９Ｂと、から構成される。
【００４２】
垂直固定左片１９Ａと垂直固定右片１９Ｂとは、左右対称に形成された略台形の金属製のプレートである。具体的には、垂直固定左片１９Ａは、後端が載置片１０の左端における後端から上方に垂直に張り出し、かつ、上端が載置片１０の上面と平行であると共に、前端が下方に向かうにつれて前方に傾斜する略台形に形成されている。垂直固定右片１９Ｂは、垂直固定左片１９Ａと左右対称に、前端が載置片１０の右端における前端から上方に垂直に張り出し、上端が載置片１０の上面と平行であると共に、後端が下方に向かうにつれて後方に傾斜する略台形に形成されている。また、垂直固定左片１９Ａおよび垂直固定右片１９Ｂのそれぞれの上端部には、載置片１０に載置される横架材２を、垂直固定左片１９Ａおよび垂直固定右片１９Ｂの外側から、ビス２３（図９および図１０）または釘等で固定するためのビス孔１３が、前後方向に一列で二箇所ずつ形成されている。
【００４３】
以上、固定部材３および支持部材４について説明した。次に、固定部材３と支持部材４とに跨って設けられる調整機構１４について、説明する。
【００４４】
調整機構１４は、図７に示すように、載置片１０に形成されたねじ孔１５と、ねじ孔１５に螺合するねじ部１７Ａを有する軸部材１７と、軸受け片７に形成されて軸部材１７の下端を受け止める軸受け部１８と、から構成される。
【００４５】
ねじ孔１５は、図７および図１１に示すように、載置片１０における載置片凹部１０Ａの中央に形成され、載置片１０を上下方向に貫通する円孔である。具体的には、載置片凹部１０Ａの中央には、上方に向けて突起する略円柱状のねじ孔凸部１５Ａが形成されており、ねじ孔１５は、このねじ孔凸部１５Ａの中央上端から、上下方向に沿って、ねじ孔凸部１５Ａおよび載置片凹部１０Ａを貫通する円孔として、形成される。また、ねじ孔１５には、図７に示すように、その内側に、ねじ溝１５Ｂが形成されている。このねじ溝１５Ｂは、後述する軸部材１７のねじ部１７Ａに螺合する。
【００４６】
軸部材１７は、図１、図５、図６、図７および図１１に示すように、上下方向を軸方向としたボルト部材である。軸部材１７には、上部を除く周側面において、ねじ孔１５のねじ溝１５Ｂに螺合するねじ部１７Ａが形成されている。また、軸部材１７は、その上端において、六角柱状の駆動部１７Ｂが設けられており、ラチェットレンチまたは十字レンチ等の工具（図示せず）で駆動部１７Ｂを挟持することで、軸方向を中心として回転させやすいように、形成されている。なお、軸部材１７の軸方向の長さ、すなわち、上下方向の長さは任意であるが、床束１が用いられる建築物や第一固着具孔１２の上下方向の長さに合わせて調整されることが好ましい。また、ねじ部１７Ａの上下方向の長さは、第一固着具孔１２の上下方向の長さよりも長く形成されることが好ましい。
【００４７】
軸受け部１８は、図７および図１１に示すように、軸部材１７の下端を受け止めるすり鉢状の部位である。具体的には、軸受け部１８は、軸受け片７における載置片１０のねじ孔１５に対向する位置、すなわち、ねじ孔１５の下方にあたる位置において、軸受け片７が下方に向けて略逆円錐台形に窪むことで、形成される。この構成により、ねじ孔１５に通された軸部材１７の下端が、軸受け部１８に収まることで、軸部材１７を安定して回転させることができる。
【００４８】
調整機構１４は、図７および図１１に示すように、上記した構成において、ねじ孔１５の上方から、ねじ溝１５Ｂにねじ部１７Ａを螺合させて、軸部材１７が通された後に、軸部材１７の下端が、軸受け部１８の上面に当接した状態で収まることで、形成される。この状態で、軸部材１７の駆動部１７Ｂを工具で挟持して回転させることで、支持部材４が固定部材３に対して上下動する。なお、調整機構１４において、支持部材４が固定部材３に対して安定して上下動するためには、後述する連結部１１において、固定部材３と支持部材４とが連結されている必要がある。
【００４９】
以上、調整機構１４について説明した。次に、固定部材３と支持部材４とを連結する連結部１１について、説明する。
【００５０】
連結部１１は、図１、図２、図５および図６に示すように、第二垂直片９に設けられた第一固着具孔１２と、第一垂直片６に設けられた第二固着具孔と、第一固着具孔１２および第二固着具孔に通される固着具８と、から形成される。具体的には、床束１では、固着具８はボルトとナットとから構成されており、第一垂直片６の外側に第二垂直片９が重ねられた状態で、互いに対向する位置に設けられた第一固着具孔１２および第二固着具孔にボルトが通され、第一固着具孔１２と第二固着具孔とから突出したボルトに、ナットが締結されることで、連結部１１が形成される。この連結部１１によって、第一垂直片６と第二垂直片９とが連結され、固定部材３と支持部材４とが、連結される。
【００５１】
また、連結部１１では、上記した構成によって、固着具８の仮止め状態においては、第一固着具孔１２の上下方向の長さに応じて、第二垂直片９を第一垂直片６に対してスライドさせることができる。すなわち、固着具８の仮止め状態において、支持部材４が、固定部材３に対して、上下動可能となる。また、調整機構１４において支持部材４の高さを調整した後に、連結部１１において固着具８を本止めすることにより、支持部材４を固定部材３に対して任意の高さで固定することができる。
【００５２】
以上、本実施形態に係る床束１について説明した。続けて、本実施形態に係る床束１を用いたウッドデッキの施工方法について、説明する。
【００５３】
まず始めに、床束１を、図８に示すように、束石または土台の上に設置する。このとき、床束１の前後方向が横架材２の長手方向に沿うようにして、少なくとも二以上の床束１を設置する。床束１の束石または土台への固定方法は、座板５のボルト孔５Ａに、事前に土台または束石に埋め込まれたアンカーボルト２１を通し、ボルト孔５Ａから突出したアンカーボルト２１に、アンカーボルト用ナット２２を締結することで、固定する。
【００５４】
続けて、二以上の床束１間において、図９および図１１に示すように、載置片１０の上に、二本の横架材２を横架させて載置する。その際、二本の横架材２は、載置片１０の上において、載置片凹部１０Ａを挟むようにして、載置片１０の左右の両端、すなわち、左右の垂直固定片１９に沿って載置される。このように横架材２を載置することにより、載置片１０の上に横架材２が載置された状態においても、横架材２間の隙間に、工具を差し込んで、軸部材１７の駆動部１７Ｂを挟持して回転させることで、支持部材４の固定部材３に対する高さの調整をすることができる。
【００５５】
続けて、載置片１０の上に二本の横架材２を横架させた後に、軸部材１７を回転させ、支持部材４の固定部材３に対する高さを調整する。具体的には、横架材２間の隙間に、工具を差し込み、軸部材１７の駆動部１７Ｂを挟持して、軸部材１７を回転させる。ここで、軸部材１７は下端が軸受け部１８に当接しているため、軸部材１７を回転させても、軸部材１７自体が上下動することはない。その代わり、床束１では、ねじ部１７Ａに螺合するねじ孔１５を備えた載置片１０、すなわち、支持部材４が、固定部材３に対して上下動する。これにより、支持部材４の固定部材３に対する高さを調整することができると共に、床束１間に横架された横架材２の水平を確保することができる。
【００５６】
続けて、床束１間に横架された横架材２の水平を確保した後に、連結部１１において、固定部材３と支持部材４とを固定する。具体的には、軸部材１７を回転させて横架材２の水平を確保した後に、連結部１１における固着具８を本止めすることにより、第一垂直片６と第二垂直片９とが堅固に固定され、固定部材３と支持部材４とが固定される。なお、横架材２は、図９および図１０に示すように、垂直固定片１９のビス孔１３に通されたビス２３によって、垂直固定片１９に固定される。なお、横架材２を垂直固定片１９に固定することが困難な場合には、載置片１０のビス孔１３にビス２３または釘等を通して、横架材２を載置片１０に固定してもよく、また、横架材２が載置片１０および垂直固定片１９の双方に固定されてもよい。なお、固定部材３と支持部材４との固定と、横架材２と垂直固定片１９との固定とは、いずれが先になされてもよく、順番は任意である。
【００５７】
以上、床束１の設置、横架材２の水平の確保、および、固定部材３と支持部材４との固定を含むウッドデッキの施工方法について説明した。この方法を繰り返し行うことで、必要な数の床束１と横架材２とを設置し、この横架材２の上から、横架材２と交差する方向に床板材を敷設することで、ウッドデッキを施工することができる。
【００５８】
以上のとおり、本実施形態が構成されている。
【００５９】
次に、本実施形態の効果を説明する。
【００６０】
本実施形態に係る床束１では、上記したとおり、束石または土台の上に固定される座板５と、座板５から上方に向けて張り出す第一垂直片６と、第一垂直片６から水平方向に張り出す軸受け片７と、を有する固定部材３、第一垂直片６に重ねて連結される第二垂直片９と、第二垂直片９の上端から水平方向に張り出し、床板材を支持する横架材２が載置される載置片１０と、を有する支持部材４、および、載置片１０に形成されたねじ孔１５と、ねじ孔１５に螺合するねじ部１７Ａを有する軸部材１７と、軸受け片７に形成されて軸部材１７の下端を受け止める軸受け部１８と、からなる調整機構１４、を備え、調整機構１４において、ねじ孔１５にねじ部１７Ａを螺合させた軸部材１７の下端が、軸受け部１８に当接した状態で、軸部材１７を回転させることで、支持部材４が固定部材３に対して上下動可能であると共に、第一垂直片６と第二垂直片９とが連結される連結部１１において、固定部材３と支持部材４とが、任意の高さで固定が可能に連結されている。すなわち、床束１では、調整機構１４とは別に、固定部材３と支持部材４とが、第一垂直片６と第二垂直片９とを介して連結部１１で連結されているため、ガタつきを最小限に抑えつつ、安定して調整機構１４による高さの調整および床束１の固定をすることができる。
【００６１】
また、床束１では、調整機構１４を有すると共に、固定部材３と支持部材４とが、連結部１１において任意の高さで固定が可能に連結されているため、固定部材３と支持部材４とが仮止めされた状態において、支持部材４の高さの調整をし、床板材を支持する横架材２の水平を確保してから、固定部材３と支持部材４とを固定することができる。すなわち、床束１では、床面の水平を容易に確保することができるため、ウッドデッキの床下構造を容易に構築することができる。
【００６２】
本実施形態に係る床束１では、第一垂直片６は、角度をつけて連接された第一垂直左片６Ａと第一垂直右片６Ｂとで構成され、第二垂直片９は、第一垂直片６に沿って角度をつけて連接された第二垂直左片９Ａと第二垂直右片９Ｂとから構成されている。すなわち、床束１は、第一垂直片６および第二垂直片９が、平面視で略Ｖ字形に折れ曲がった垂直片として構成されたことで、横架材２から鉛直方向にかかる荷重、すなわち、第一垂直片６および第二垂直片９を縦に折り曲げようとする力に対して、十分な強度を備えることができる。特に、第一垂直片６の上端から張り出す軸受け片７には、軸部材１７から鉛直方向の荷重がかかることから、第一垂直片６が上記した構成で形成されることで、その荷重に十分に耐えうる強度を備えた床束１とすることができる。また、第一垂直片６および第二垂直片９が、平面視で略Ｖ字形に折れ曲がった垂直片として構成されたことで、例えば、図１０に示すように、載置片１０の上に横架材２を一本だけ載置する際にも、床束１のバランスが崩れることなく、横架材２を安定して載置することができる。
【００６３】
さらに、床束１では、軸受け片７において前端片７Ａが形成され、この前端片７Ａの左右両端が、第一垂直左片６Ａの上部前端および第一垂直右片６Ｂの上部前端に連接されて一体として形成されている。したがって、前端片７Ａが、軸受け片７を下方から支える補強材として機能することで、軸部材１７からかかる鉛直方向の荷重に対してより強度を備えた軸受け片７とすることができる。
【００６４】
本実施形態に係る床束１は、連結部１１が、第二垂直片９に設けられた縦長孔である第一固着具孔１２と、第一垂直片６に設けられた円孔である第二固着具孔と、第一固着具孔１２および第二固着具孔に通される固着具８と、から形成されている。すなわち、床束１では、連結部１１において、第一垂直片６と第二垂直片９とが固着具８で仮止めされた状態で、調整機構１４によって高さの調整を行うことで、横架材２の水平の確保をすることができると共に、横架材２の水平を確保した後に、第一垂直片６と第二垂直片９とを本止めすることで、固定部材３と支持部材４とを固定することができる。したがって、床板材を支持する横架材２の水平、すなわち、床面の水平を容易に確保することができると共に、ウッドデッキの床下構造を容易に構築することができる。
【００６５】
本実施形態に係る床束１では、軸受け部１８が、すり鉢状である。すなわち、床束１では、軸部材１７を回転させる際に、軸部材１７の下端が軸受け部１８からずれることがなく、軸部材１７を安定して回転させることができる。
【００６６】
本実施形態に係る床束１では、載置片１０は、左右両端が上方に向けて折れ曲がり、横架材２を固定するための一対の垂直固定片１９を有する。すなわち、床束１であれば、横架材２が載置片１０からずり落ちることがなく、横架材２を安定して載置片１０に載置することができる。特に、図１０に示すように、横架材２を一本だけ載置片１０の上に載置する際には、垂直固定片１９があることで、安定して横架材２を載置することができる。また、ビス孔１３を介して、横架材２を、載置片１０だけではなく、垂直固定片１９にも固定することができるため、上下方向からだけでなく、水平方向からも固定することができる。
【００６７】
本実施形態に係るウッドデッキの施工方法では、床束１を用いたウッドデッキの施工方法であって、座板５を束石または土台の上に固定することで、少なくとも二以上の床束１を設置し、連結部１１において固定部材３と支持部材４とが仮止めされた状態で、載置片１０の上に横架材２を載置し、調整機構１４で支持部材４の固定部材３に対する高さの調整をすることで、床束１間に横架された横架材２の水平の確保をする。また、床束１間に横架された横架材２の水平を確保した後に、固定部材３と支持部材４とを固定する。すなわち、本実施形態に係るウッドデッキの施工方法であれば、床板材を支持する横架材２の水平、すなわち、床面の水平を容易に確保することができるため、ウッドデッキの床下構造を容易に構築することができる。
【００６８】
本実施形態に係るウッドデッキの施工方法では、載置片１０に横架材２が二本載置され、床束１間に横架材２が二本横架している。すなわち、床板材を二本の横架材２で支持することができるため、鉛直方向の荷重に対して強度を備えたウッドデッキの床下構造とすることができる。
【００６９】
また、本実施形態に係るウッドデッキの施工方法では、工具を用いて軸部材１７の駆動部１７Ｂを上方から挟持して回転させることができる。すなわち、従来の束構造または鋼製束等とは異なり、床束の側面ではなく、上方から支持部材４の固定部材３に対する高さの調整、すなわち、横架材２の水平の確保をすることができる。
【００７０】
以上、本実施形態を詳述したが、本発明は本実施形態に限定されるものではなく、特許請求の範囲に記載された事項を逸脱することがなければ、種々の設計変更を行うことが可能である。
【００７１】
例えば、本実施形態に係る床束１では、軸受け片７が第一垂直片６の上端から水平に張り出した実施形態を示したが、これに限定されるものではなく、軸受け片が座板の上に重なり、座板と一体として形成されたものであってもよい。すなわち、座板と一体として形成された軸受け片の上面において、軸受け部が形成され、この軸受け部において、ねじ孔に通された軸部材の下端が受け止められるものであってもよい。
【００７２】
また、例えば、本実施形態に係る床束１では、第一垂直片６に第二固着具孔が、また、第二垂直片９に第一固着具孔１２が、それぞれ設けられた実施形態を示したが、これに限定されるものではなく、第一垂直片に第一固着具孔が、また、第二垂直片に第二固着具孔が、設けられているものであってもよい。
【００７３】
さらに、例えば、本実施形態に係る床束１では、ねじ孔１５において、ねじ孔凸部１５Ａが、上方に向けて突起する略円柱状に形成された実施例を示したが、これに限定されるものではなく、ねじ孔凸部が、上方に向けてテーパー状に突起する略円錐台状に形成されていてもよく、また、載置片に十分な厚みがあり、載置片の厚みだけで軸部材を安定して支えることができる構成であれば、ねじ孔においてねじ孔凸部が形成されていなくてもよい。
【００７４】
また、例えば、本実施形態に係る床束１では、載置片１０において載置片凹部１０Ａが形成された実施例を示したが、これに限定されるものではなく、載置片凹部１０Ａを形成せずに、載置片の上面に直接上方に向かって突起するねじ孔凸部が形成されていてもよい。
【００７５】
さらに、例えば、本実施形態に係る床束１では、軸受け部１８がすり鉢状である実施形態を示したが、これに限定されるものではなく、軸部材の下端が収まる形状であれば円柱状や四角柱等でもよい。また、平板状の軸受け片自体を軸受け部としてもよい。
【００７６】
また、例えば、本実施形態に係る床束１では、載置片１０において、左右の両端に垂直固定片１９が形成された実施形態を示したが、これに限定されるものではなく、垂直固定片を有さない載置片、または、左右の垂直固定片のいずれか一方だけを有する載置片であってもよい。
【００７７】
さらに、例えば、本実施形態に係る床束１では、載置片１０の中央に、ねじ孔１５が設けられ、ねじ孔１５に対向する位置に、軸受け部１８が設けられた実施形態を示したが、これに限定されるものではなく、ねじ孔に軸部材が通され、軸受け部が軸部材の下端を受け止めることができる構成で、かつ、調整機構による高さの調整機能が発揮できる構成であれば、任意の位置に設けられてもよい。
【００７８】
また、例えば、本実施形態に係る床束１では、座板５、第一垂直片６、軸受け片７、第二垂直片９および載置片１０の幅、長さ、厚み、形状等を限定した実施形態を示したが、これらの幅、長さ、厚み、形状等は任意であり、床束が用いられる建築物またはウッドデッキ等に合わせて適宜変更することができる。
【００７９】
さらに、例えば、本実施形態に係る床束１では、第一垂直片６および第二垂直片９が、左右方向の中央で折れ曲がり、平面視において略Ｖ字形に形成された実施形態を示したが、これに限定されるものではなく、略への字形や略Ｌ字形に折れ曲がった第一垂直片および第二垂直片、または、折れ目のない平板状の第一垂直片および第二垂直片であってもよい。
【００８０】
また、例えば、本実施形態に係る床束１を用いたウッドデッキの施工方法では、束石または土台にアンカーボルト２１が埋め込まれている実施形態を示したが、これに限定されるものではなく、束石または土台にアンカーボルト２１を埋め込むことが困難な場合には、座板５を束石または土台の上に載置した状態で、座板５のビス孔１３にコンクリートビスまたは釘等を打ち込むことで、束石または土台の上に固定してもよい。
【００８１】
さらに、例えば、本実施形態に係る床束１を用いたウッドデッキの施工方法では、載置片１０において、ねじ孔１５を挟むようにして、二本の横架材２を載置した実施形態を示したが、これに限定されるものではなく、載置片１０に横架材２が一本だけ載置されるものであってもよい。
【符号の説明】
【００８２】
１      床束
２      横架材
３      固定部材
４      支持部材
５      座板
５Ａ    ボルト孔
６      第一垂直片
６Ａ    第一垂直左片
６Ｂ    第一垂直右片
７      軸受け片
７Ａ    前端片
８      固着具
９      第二垂直片
９Ａ    第二垂直左片
９Ｂ    第二垂直右片
１０    載置片
１０Ａ  載置片凹部
１１    連結部
１２    第一固着具孔
１３    ビス孔
１４    調整機構
１５    ねじ孔
１５Ａ  ねじ孔凸部
１５Ｂ  ねじ溝
１７    軸部材
１７Ａ  ねじ部
１７Ｂ  駆動部
１８    軸受け部
１９    垂直固定片
１９Ａ  垂直固定左片
１９Ｂ  垂直固定右片
２０    肉抜き
２１    アンカーボルト
２２    アンカーボルト用ナット
２３    ビス
２４    座板用切り欠き
【要約】      （修正有）【課題】ウッドデッキの床下構造を容易に構築することができると共に、安定性の高い床束およびこの床束を用いたウッドデッキの施工方法を提供する。【解決手段】束石または土台の上に固定される座板５と、第一垂直片６と、軸受け片７と、を有する固定部材３、第一垂直片６に重ねて連結される第二垂直片９と、床板材を支持する横架材２が載置される載置片１０と、を有する支持部材４、および、載置片１０に形成されたねじ孔と、ねじ孔に螺合するねじ部１７Ａを有する軸部材１７と、軸受け片７に形成されて軸部材１７の下端を受け止める軸受け部と、からなる調整機構１４、を備え、ねじ孔にねじ部１７Ａを螺合させた軸部材１７の下端が、軸受け部に当接した状態で、軸部材１７を回転させることで、支持部材４が固定部材３に対して上下動可能であると共に、固定部材３と支持部材４とが、任意の高さで固定が可能に連結されている。【選択図】図１０【図１】
0006954690.tif 000002
【図２】
0006954690.tif 000003
【図３】
0006954690.tif 000004
【図４】
0006954690.tif 000005
【図５】
0006954690.tif 000006
【図６】
0006954690.tif 000007
【図７】
0006954690.tif 000008
【図８】
0006954690.tif 000009
【図９】
0006954690.tif 000010
【図１０】
0006954690.tif 000011
【図１１】
0006954690.tif 000012